(57)【要約】      （修正有）【課題】特定の人間がその死去に先立ち、確実にかつ安全に特定の個人に関わるメッセージを残し、他の人々に伝える方法を提供する。【解決手段】特定の個人にあらかじめパーソナルコンピュータあるいは携帯電話などの情報処理機能を有する端末装置を介して、該個人の生前の該個人のプライバシー情報、該個人に関わる財産情報、該個人から該個人以外の個人および／あるいは団体に対して伝達したいメッセージ、該個人が該個人の死去に際して該個人の通知を出したい該個人以外の個人／あるいは団体の情報等の意思をメッセージの形式で作成してもらい、そのメッセージを情報処理装置内で保管・管理し、該個人の死去の報により、あらかじめ該個人との間で定めた手順に従って保存及び管理されている該メッセージ情報の内容に従って通知、処理を行う。これにより、安全かつ容易にエンディングメッセージに関する執行が可能となる。【選択図】図１
2014229292.tif 000002
【特許請求の範囲】
【請求項１】
特定の個人（１）が該個人（１）の死去に先立ち、該個人（１）のプライバシー情報、該個人（１）に関わる財産情報、該個人から該個人以外の個人および／あるいは団体（２）に対して伝達したいメッセージ、該個人が該個人の死去に際して該個人の通知を出したい該個人以外の個人／あるいは団体の情報（２）に関してあらかじめ電子化されたファイル情報（３）として保存および管理することを特徴とするエンディング用メッセージ管理システム、メッセージ提供システム及びメッセージ管理方法。
【請求項２】
あらかじめ該個人（１）と情報処理装置（４）により該電子化ファイル（３）を維持管理する企業（４’）との間で、該個人（１）の電子化ファイル情報（３）の管理に関して契約を締結することを特徴とする請求項１に記載のエンディング用メッセージ管理システム、メッセージ提供システム及びメッセージ管理方法。
【請求項３】
該個人（１）の電子化ファイル（３）の作成方法としてあらかじめ該個人（１）が自筆した文書（３’）を写真の撮影装置（７）あるいはスキャニング装置（８）を用いた読取りの方法で電子化して電子ファイル（３）とすることを特徴とする請求項１に記載のエンディング用メッセージ管理システム、メッセージ提供システム及びメッセージ管理方法。
【請求項４】
該個人（１）の電子化ファイル（３）の作成方法として該情報処理装置を管理する会社（４’）が運用する情報処理管理システム（４）に対してインターネット（５）を用いて通信して該個人（１）の情報を保管よび管理することを特徴とする請求項１に記載のエンディング用メッセージ管理システム、メッセージ提供システム及びメッセージ管理方法。
【請求項５】
該個人（１）の電子化ファイル（３）の作成方法として該情報処理装置を管理する会社（４’）が運用する情報処理管理システム（４）に対して携帯電話（６）の音声通信機能あるいは文書メール送信機能を用いて通信して該個人（１）の情報を保管よび管理することを特徴とする請求項１に記載のエンディング用メッセージ管理システム、メッセージ提供システム及びメッセージ管理方法。
【請求項６】
該情報処理装置を管理する会社（４’）は、定期的に該個人の死去の有無を調査し、死去されている場合には該個人（１）との間であらかじめ契約時に定められ手順に従って保管されている電子化ファイル（３）の内容を該個人以外の個人および／あるいは団体に対して伝送または通知する管理システム（４）を具備することを特徴とする請求項１に記載のエンディング用メッセージ管理システム、メッセージ提供システム及びメッセージ管理方法。
【請求項７】
該情報処理装置を管理する会社（４’）は、該個人（１）の死去の報を該個人以外の個人あるいは団体（２）から通知された時に、該個人（１）との間であらかじめ契約時に定められ手順に従って保管されている電子化ファイル（３）の内容を該個人以外の個人および／あるいは団体（２）に対して伝送または通知する管理システム（４）を具備することを特徴とする請求項１に記載のエンディング用メッセージ管理システム、メッセージ提供システム及びメッセージ管理方法。
【請求項８】
該情報処理装置を管理する会社（４’）は、該個人（１）の死去に伴い該個人（１）に関する電子化ファイル（３）を消去する管理システム（４）を具備することを特徴とする請求項１に記載のエンディング用メッセージ管理システム、メッセージ提供システム及びメッセージ管理方法。
【請求項９】
該情報処理装置を管理する会社（４’）は、該個人（１）からの電子化ファイル（３）の保管および管理を中止する旨の通知を受取った時に該個人（１）の電子化ファイル（３）を消去する管理システム（４）を具備することを特徴とする請求項１に記載のエンディング用メッセージ管理システム、メッセージ提供システム及びメッセージ管理方法。
【請求項１０】
該情報処理装置を管理する会社（４’）は、該個人（１）の死去の報を受取っていない場合あるいは該個人（１）から電子化ファイル（３）の保管および管理を中止する旨の通知を受取っていない場合に関わらず、明らかに電子化ファイル（３）の保管および管理の必要ないと判断した場合に該個人の電子化ファイル（３）を消去する管理システム（４）を具備することを特徴とする請求項１に記載のエンディング用メッセージ管理システム、メッセージ提供システム及びメッセージ管理方法。
【発明の詳細な説明】
【技術分野】
【０００１】本発明は、特定の人間がその死去に先立ち、残された人達に対して伝えておきたいこと、整理しておきたいこと、残余する物品、財産に関する取扱い、死去の報を伝えて欲しい人達等に関するメッセージを登録し、そのメッセージを保管し、特定の人間が指定する方法によりそのメッセージを保管・維持するシステムに関するものである。
【背景技術】
【０００２】特定の人間がその死去に先立ち、残された人達に対して伝えておきたいこと、整理しておきたいこと、残余する物品、財産に関する取扱いに関しては、法律的には遺言という形式をとる。しかし、遺言には法律上で決められた方式があり、その形式に沿わない形式のものは無効とされる。そのため、法律上に沿わない簡易の生前メッセージを生かす方法が無く、単にメモや手紙として遺族に渡しておくしかなかった。しかし、この方法ではその残されたメッセージの保管やそのプライバシーの保護などがないがしろにされ、実質的に意味を持たないものとなっていた。【０００３】  従来、逝き支度支援事業のように葬儀方法や墓の管理等に関するもの（例えば、特開２０１０−９７５７５号公報）がある。
【先行技術文献】
【特許文献】
【０００４】
【特許文献１】特開２０１０−９７５７５
【発明の概要】
【発明が解決しようとする課題】
【０００５】特許文献１は特定の人間の死去に先立ち、その人間が希望する葬儀方式、墓の管理などをあらかじめ聞き取り、その特定の個人の死去後にその意向に沿って支援を行うだけのものであり、特定の人間がその死去に先立ち、残された人達に対して伝えておきたいこと、整理しておきたいこと、残余する物品、財産に関する取扱いに関しての意思を保管し、死去後に実行するものとはなっていない。【０００６】本発明は、この課題を実現するために、特定の人間にあらかじめパーソナルコンピュータあるいは携帯電話などの情報処理機能を有する端末装置を介して、その特定の人間の生前の意思をメッセージの形式で作成してもらい、そのメッセージを情報処理装置内で保管・管理し、その特定の人間の死去の報により、あらかじめ定められた方式で、該特定の人間の残したメッセージの内容に従って通知、処理を行う管理システムを提供することにある。
【課題を解決するための手段】
【０００７】（請求項１）本発明に係るエンディング用メッセージ管理システム、メッセージ提供システム及びメッセージ管理方法は特定の個人が該個人の死去に先立ち、該個人のプライバシー情報、該個人に関わる財産情報、該個人から該個人以外の個人および／あるいは団体に対して伝達したいメッセージ、該個人が該個人の死去に際して該個人の通知を出したい該個人以外の個人／あるいは団体の情報に関してあらかじめ電子化ファイル情報として保存し、該ファイルを管理、提供及管理する方法を包含している。【０００８】（請求項２）あらかじめ該個人と情報処理装置により該電子化ファイルを維持管理する企業との間で、該個人の電子化ファイル情報の管理に関して契約を締結することでエンディング用メッセージの管理、提供及びメッセージ管理が可能となる。【０００９】（請求項３）該個人の電子化エンディングメッセージファイルの作成方法としてあらかじめ該個人が自筆した文書を写真あるいはスキャニングの方法で電子化して電子ファイルとすることでのエンディング用メッセージの管理が可能となる。【００１０】（請求項４）該個人のエンディングメッセージ電子化ファイルの作成方法として該情報処理装置を管理する会社が運用する情報処理管理システムに対してインターネットを用いて通信して該個人の情報を保管よび管理することが可能となる。【００１１】（請求項５）該個人のエンディングメッセージ電子化ファイルの作成方法として該情報処理装置を管理する会社が運用する情報処理管理システムに対して携帯電話の音声通信機能あるいは文書メール送信機能を用いて通信して該個人の情報を保管及び管理することでも良い。【００１２】（請求項６）該情報処理装置を管理する会社は、定期的に該個人の死去の有無を調査し、死去されている場合には該個人との間であらかじめ契約時に定められた手順に従って保管されているエンディングメッセージ電子化ファイルの内容を該個人以外の個人および／あるいは団体に対して伝送または通知する管理システムを具備することでエンディング用メッセージの管理、提供及び管理が可能となる。【００１３】（請求項７）該情報処理装置を管理する会社は、該個人の死去の報を該個人以外の個人あるいは団体から通知された時に、該個人との間であらかじめ契約時に定められ手順に従って保管されているエンディングメッセー電子化ファイルの内容を該個人以外の個人および／あるいは団体に対して伝送または通知する管理システムを具備することでエンディング用メッセージの管理、提供及び管理が可能となる。【００１４】（請求項８）該情報処理装置を管理する会社は、該個人の死去に伴い該個人に関する電子化ファイルを消去する管理システムを具備することでエンディング用メッセージの管理、提供及び管理が可能となる。【００１５】（請求項９）該情報処理装置を管理する会社は、該個人からのエンディングメッセージ電子化ファイルの保管および管理を中止する旨の通知を受取った時に該個人のエンディングメッセージ電子化ファイルを消去する管理システムを具備することでエンディング用メッセージの管理、提供及び管理が可能となる。【００１６】（請求項１０）該情報処理装置を管理する会社は、該個人の死去の報を受取っていない場合あるいは該個人からエンディングメッセージ電子化ファイルの保管および管理を中止する旨の通知を受取っていない場合に関わらず、明らかに電子化ファイルの保管および管理の必要ないと判断した場合に該個人の電子化ファイルを消去する管理システムを具備することでエンディング用メッセージの管理、提供及び管理が可能となる。
【発明の効果】
【００１７】（請求項１）本発明に係るエンディング用メッセージ管理システム、メッセージ提供システム及びメッセージ管理システムによれば、あらかじめ該個人との間で定めた手順に従って該個人のプライバシー情報、該個人に関わる財産情報、該個人から該個人以外の個人および／あるいは団体に対して伝達したいメッセージ、該個人が該個人の死去に際して該個人の通知を出したい該個人以外の個人／あるいは団体の情報に関するエンディングメッセージを電子ファイル化して管理会社が運用する情報処理装置に保存及び管理し、該エンディングメッセージ電子化ファイル情報の内容を該個人の死去に伴い、あらかじめ該個人との間で定めた手順及び内容に従って該個人以外の個人および／あるいは団体に該エンディングメッセージを提供することができ、又、該個人が自ら該エンディングメッセージ電子化ファイルを管理する必要がないため、安全かつ容易にエンディングメッセージに関する執行が可能となる。【００１８】請求項２によれば、あらかじめ該個人と情報処理装置により該電子化ファイルを維持管理する企業との間で、該個人の電子化ファイル情報の管理に関して契約を締結することで安全かつ確実に該個人のエンディングメッセージの保管、管理及びメッセージの提供が可能となる。【００１９】請求項３によれば、該個人の電子化エンディングメッセージファイルの作成方法としてあらかじめ該個人が自筆した文書を写真あるいはスキャニングの方法で電子化して電子ファイルとすることで該個人のエンディング用メッセージの作成及び保存が容易となる。【００２０】請求項４によれば、該個人のエンディングメッセージ電子化ファイルの作成方法として該情報処理装置を管理する会社が運用する情報処理管理システムに対してインターネットを用いて通信して該個人の情報を登録し、管理してもらうことで該個人の登録および保存の手間が簡略化されるとともに該エンディングメッセージ電子化ファイルの安全がインターネットのセキュリティ性により担保される。【００２１】請求項５によれば、該個人のエンディングメッセージ電子化ファイルの作成方法として該情報処理装置を管理する会社が運用する情報処理管理システムに対して携帯電話の音声通信機能あるいは文書メール送信機能を用いて通信して該個人の情報を保管及び管理することができるため、該個人の登録および保存の手間が簡略化される。【００２２】請求項６によれば、該情報処理装置を管理する会社は、定期的に該個人の死去の有無を調査することで、該個人のエンディングメッセージを該個人以外の個人および／あるいは団体に対して知らしめることが可能となり、エンディング用メッセージの保管、提供及び管理が可能となる。【００２３】請求項７によれば、該情報処理装置を管理する会社は、該個人の死去の報を受けたときは該個人との間であらかじめ定めた手順に従って該個人のエンディングメッセージを該個人以外の個人および／あるいは団体に対して知らしめることが可能となり、エンディング用メッセージの保存、提供及び管理が可能となる。【００２４】請求項８によれば、該情報処理装置を管理する会社は、該個人の死去に伴い該個人に関する電子化ファイルを消去する管理システムを具備しており、不要なエンディング用メッセージの保存及び管理をすることが無くなるため、エンディング用メッセージの保存及び管理の負担を軽減したシステムの運用が可能となる。【００２５】請求項９によれば、該情報処理装置を管理する会社は、該個人からのエンディングメッセージ電子化ファイルの保管および管理を中止する旨の通知を受取った時に該個人のエンディングメッセージ電子化ファイルを消去する管理システムを具備しており、不要なエンディング用メッセージの保存及び管理をすることが無くなるため、エンディング用メッセージの保存及び管理の負担を軽減したシステムの運用が可能となる。【００２６】請求項１０によれば、該情報処理装置を管理する会社は、該個人の死去の報を受取っていない場合あるいは該個人からエンディングメッセージ電子化ファイルの保管および管理を中止する旨の通知を受取っていない場合に関わらず、明らかに電子化ファイルの保管および管理の必要ないと判断した場合に該個人の電子化ファイルを消去する管理システムを具備することでエンディング用メッセージの保存及び管理の負担を軽減したシステムの運用が可能となる。
【図面の簡単な説明】
【００２７】
【図１】電子化エンディングメッセージファイルの情報処理装置への登録とエンディングメッセージ情報の管理会社によるメッセージ管理方法を示す概念図である。
【図２】電子化エンディングメッセージの作成をした個人と該電子化エンディングメッセージファイルを保管、管理及びメッセージの提供を行うエンディングメッセージ情報の管理会社との事前契約の締結を示す概念図である。
【図３】電子化エンディングメッセージの原本作成をした個人が該原本を電子化する手段を示す概念図である。
【図４】電子化エンディングメッセージを個人がインターネットを用いてエンディングメッセージの管理会社が運用する情報処理装置へ登録を行う概念図である。
【図５】電子化エンディングメッセージを個人が携帯電話の通信機能を用いてエンディングメッセージの管理会社が運用する情報処理装置へ登録を行う概念図である。
【発明を実施するための形態】
【００２８】以下に、この発明の実施の形態を、図面を参照して、説明する。
（請求項１）図１で、本発明に係る電子化エンディングメッセージファイルの情報処理システムは、エンディングメッセージを残したい個人１の作成したエンディングメッセージ３’を電子化３し、電子化エンディングメッセージファイルの情報処理システムを管理する情報処理装置管理会社４’の情報処理装置４に登録する。登録された電子化エンディングメッセージファイル３は、個人１が死去したとき、個人１のエンディングメッセージ３を該個人以外の個人および／あるいは団体２に対して知らしめ、その後、個人１のエンディングメッセージ３を消去する情報処理装置４から成っている。
【００２９】（請求項２）図２で、個人１と情報処理装置４により該電子化ファイルを維持管理する情報処理装置管理会社４’との間で、個人１の電子化エンディングメッセージ３情報の管理に関して契約を締結することで、個人１の固有の情報であるエンディングメッセージ３の守秘性が担保される。
【００３０】（請求項３）図３で、該個人のエンディングメッセージ電子化ファイル３の作成方法としてあらかじめ該個が自筆した文書を写真撮影装置７あるいはスキャニング装置８による読取りの方法で電子化して電子ファイル３とすることでエンディング用メッセージを電子ファイル３として作成し、保存することが容易となる。
【００３１】（請求項４）図４で、個人１のエンディングメッセージ電子化ファイル３の作成方法として該情報処理装置を管理する会社４’が運用する情報処理管理システム４に対してインターネット５を用いて通信して個人１の情報を登録し、管理してもらうことで個人１の登録および保存の手間が簡略化されるとともにエンディングメッセージ電子化ファイル３の安全がインターネットのセキュリティ性により担保される。
【００３２】（請求項５）図５で、個人１のエンディングメッセージ電子化ファイル３の作成方法として該情報処理装置を管理する会社４’が運用する情報処理管理システム４に対して携帯電話６の音声通信機能あるいは文書メール送信機能を用いて通信して個人１のエンディングメッセージ情報を保管及び管理することができるため、個人１によるエンディングメッセージの登録および保存の手間が簡略化される。
【００３３】（請求項６）図１で、情報処理装置を管理する会社４’は、定期的に個人１の死去の有無を調査することで、個人１のエンディングメッセージ３を個人以外の個人および／あるいは団体２に対して知らしめることが可能となり、エンディング用メッセージの保管、提供及び管理が可能となる。
【００３４】（請求項７）図１で、情報処理装置を管理する会社４’は、個人１の死去の報を受けたときは個人１との間であらかじめ定めた手順に従って個人１のエンディングメッセージ３を個人以外の個人および／あるいは団体２に対して知らしめることが可能となり、エンディング用メッセージの保存、提供及び管理が可能となる。
【００３５】（請求項８）図１で、該情報処理装置を管理する会社４’は、個人１の死去に伴い個人１に関する電子化ファイル３を消去する管理システム４を具備しており、不要なエンディング用メッセージの保存及び管理をすることが無くなるため、エンディング用メッセージの保存及び管理の負担を軽減したシステムの運用が可能となる。
【００３６】（請求項９）図１で、情報処理装置を管理する会社４’は、個人１からのエンディングメッセージ電子化ファイル３の保管および管理を中止する旨の通知を受取った時に個人１のエンディングメッセージ電子化ファイル３を消去する管理システムを具備しており、不要なエンディング用メッセージの保存及び管理をすることが無くなるため、エンディング用メッセージの保存及び管理の負担を軽減したシステムの運用が可能となる。
【００３７】（請求項１０）図１で、情報処理装置を管理する会社４’は、個人１の死去の報を受取っていない場合あるいは個人１からエンディングメッセージ電子化ファイル３の保管および管理を中止する旨の通知を受取っていない場合に関わらず、明らかに電子化ファイルの保管および管理の必要ないと判断した場合に個人１の電子化ファイル３を消去する管理システム４を具備することでエンディング用メッセージの保存及び管理の負担を軽減したシステムの運用が可能となる。
【実施例】
【００３８】  図１は本発明に係るエンディング用メッセージ管理システム、メッセージ提供システムの動作手順を示したものである。【００３９】図１で、本発明に係る電子化エンディングメッセージファイルの情報処理システムは、エンディングメッセージを残したい個人１の作成したエンディングメッセージ３’を電子化３し、電子化エンディングメッセージファイルの情報処理システムを管理する情報処理装置管理会社４’の情報処理装置４に登録する。登録された電子化エンディングメッセージファイル３は、個人１が死去したとき、個人１のエンディングメッセージ３を該個人以外の個人および／あるいは団体２に対して知らしめ、その後、個人１のエンディングメッセージ３を消去する情報処理装置４から成っている。これにより個人１がその死去に先立ち、残された人達に対して伝えておきたいこと、整理しておきたいこと、残余する物品、財産に関する取扱いに関してエンディングメッセージの形式で情報処理装置４に登録、保管及び維持管理することが出でき、又、個人１の死去に伴い生前に個人１との間で取決めた手順及び内容に沿って、情報処理装置管理会社４’がエンディングメッセージという形式で個人１以外の人間あるいは団体２に対してエンディングメッセージを発出することができるようになり、個人１の生前の意思を確実にかつ安全にメッセージとして伝えることが可能となる。
【符号の説明】
【００４０】１    特定の個人
２    特定の個人以外の個人／団体
３    電子化メッセージファイル
３’  電子化メッセージファイル用原本
４    情報処理装置
４’  情報処理装置管理会社
５    インターネット
６    携帯電話
７    撮影装置
８    スキャニング装置
【図１】
2014229292.tif 000003
【図２】
2014229292.tif 000004
【図３】
2014229292.tif 000005
【図４】
2014229292.tif 000006
【図５】
2014229292.tif 000007